(57)【特許請求の範囲】
【請求項１】
顧客による入力情報を受け付けるための入力部と、演算処理を行なうプロセッサと、記憶部とを備えた装置において、顧客の要求に応じた手を収納するための手袋形状の袋物の注文を支援してマスターデータを作成する別注支援方法であって、
前記記憶部は、
それぞれの外形が異なる複数種類の袋物のそれぞれを構成する、指を含む各パーツの外形データを基本データとして記憶する基本データ記憶手段と、
前記袋物の各パーツに関連する属性データとして、指の長さを延長または短縮するときに移動変形する外形線および単純に移動する穴を示す指属性データと、複数の穴の配置ルールを示す穴属性データとを記憶する属性データ記憶手段とを含み、
前記プロセッサが、前記入力部が受け付けた前記入力情報に基づいて、前記記憶手段からいずれかの袋物の各パーツの外形データを読み出すステップと、
前記プロセッサが、前記入力情報が前記袋物の指の長さの延長または短縮の指令を含む場合に、当該パーツに関連する前記属性データ記憶手段に記憶されている各属性データをリンクさせて変更する変更ステップとを備え、
前記変更ステップは、
前記指令に応じて指の長さが延長または短縮された場合に、前記指属性データの外形線および穴の位置を前記延長または短縮に合わせて変更するステップと、
前記穴属性データが示す配置ルールが穴属性として付与された穴の位置を変更するステップとを含み、
前記プロセッサが、読み出された外形データと変更された属性データとに基づいて当該袋物の型紙を作成するためのマスターデータを生成するステップをさらに備える、手を収納するための袋物の別注支援方法。
【請求項２】
顧客による入力情報を受け付けるための入力部と、演算処理を行なうプロセッサと、記憶部とを備えた装置において、顧客の要求に応じた手を収納するための手袋形状の袋物の注文を支援してマスターデータを作成する別注支援方法であって、
前記記憶部は、
それぞれの外形が異なる複数種類の袋物のそれぞれを構成する、指を含む各パーツの外形データを基本データとして記憶する基本データ記憶手段と、
前記袋物の各パーツに関連する属性データを記憶する属性データ記憶手段とを含み、
前記プロセッサが、前記入力部が受け付けた前記入力情報に基づいて、前記記憶手段からいずれかの袋物の各パーツの外形データを読み出すステップと、
前記プロセッサが、前記入力情報が前記袋物の指の長さの延長または短縮の指令を含む場合に、当該パーツに関連する前記属性データ記憶手段に記憶されている属性データをリンクさせて変更する変更ステップとを備え、
前記変更ステップは、オペレータより、各指について指の両脇に位置する２本の角度線が指定されたことに応じて、指の延びる方向を示す線を演算するステップを含み、
前記プロセッサが、読み出された外形データと変更された属性データとに基づいて当該袋物の型紙を作成するためのマスターデータを生成するステップをさらに備える、手を収納するための袋物の別注支援方法。
【請求項３】
前記変更ステップは、前記指の延びる方向を示す線に基づいて、属性データを変更するステップを含む、請求項２に記載の手を収納するための袋物の別注支援方法。
【請求項４】
前記変更ステップは、オペレータより各指について指の両脇に位置する２本の角度線が指定されたことに応じて、指の延びる方向を示す線を演算するステップをさらに含み、
各属性データは、前記指の延びる方向を示す線に基づいて変更される、請求項１に記載の手を収納するための袋物の別注支援方法。
【請求項５】
前記袋物は、野球用グラブであり、
前記属性データ記憶手段は、延長または短縮に伴うウェブの変倍を行なうために必要とされるウェブ属性を記憶していて、
前記変更ステップは、変倍率がウェブ属性として付与されたウェブの大きさを前記延長または短縮に合わせて変更するステップをさらに含む、請求項１〜４のいずれかに記載の手を収納するための袋物の別注支援方法。
【請求項６】
前記入力部が、前記入力情報として、前記外形データの指定および延長または短縮の指令をデータ通信回線を介して受け付けるステップをさらに備える、請求項１〜５のいずれかに記載の手を収納するための袋物の別注支援方法。
【請求項７】
顧客の要求に応じた手を収納するための手袋形状の袋物の注文を支援してマスターデータを作成する別注支援装置であって、
それぞれの外形が異なる複数種類の袋物のそれぞれを構成する、指を含む各パーツの外形データを基本データとして記憶する基本データ記憶手段と、
前記袋物の各パーツに関連する属性データとして、指の長さを延長または短縮するときに移動変形する外形線および単純に移動する穴を示す指属性データと、複数の穴の配置ルールを示す穴属性データとを記憶する属性データ記憶手段と、
顧客による入力情報を受け付けるための入力手段と、
前記入力手段が受け付けた前記入力情報に基づいて、前記属性データ記憶手段に記憶されている属性データをリンクさせて変更し、外形データと変更した属性データとに基づいてマスターデータを生成する制御手段とを備え、
前記制御手段は、
前記入力情報に基づいて、前記記憶手段からいずれかの袋物の各パーツの外形データを読み出す手段と、
前記入力情報が前記袋物の指の長さの延長または短縮の指令を含み、かつ、前記指令に応じて指の長さが延長または短縮された場合に、前記指属性データの外形線および穴の位置を前記延長または短縮に合わせて変更する手段と、
前記穴属性データが示す配置ルールが穴属性として付与された穴の位置を変更する手段とを含む、手を収納するための袋物の別注支援装置。
【請求項８】
顧客の要求に応じた手を収納するための手袋形状の袋物の注文を支援してマスターデータを作成する別注支援装置であって、
それぞれの外形が異なる複数種類の袋物のそれぞれを構成する、指を含む各パーツの外形データを基本データとして記憶する基本データ記憶手段と、
前記袋物の各パーツに関連する属性データを記憶する属性データ記憶手段と、
顧客による入力情報を受け付けるための入力手段と、
前記入力手段が受け付けた前記入力情報に基づいて、前記属性データ記憶手段に記憶されている属性データをリンクさせて変更し、外形データと変更した属性データとに基づいてマスターデータを生成する制御手段とを備え、
前記制御手段は、
前記入力情報に基づいて、前記記憶手段からいずれかの袋物の各パーツの外形データを読み出す手段と、
前記入力情報が前記袋物の指の長さの延長または短縮の指令を含む場合に、オペレータより、各指について指の両脇に位置する２本の角度線が指定されたことに応じて、指の延びる方向を示す線を演算する手段とを含む、手を収納するための袋物の別注支援装置。
【請求項９】
顧客による入力情報を受け付けるための入力部と、演算処理を行なうプロセッサと、記憶部とを備えたコンピュータに実行させる、顧客の要求に応じた手を収納するための手袋形状の袋物の注文を支援してマスターデータを作成する別注支援プログラムであって、
前記記憶部は、
それぞれの外形が異なる複数種類の袋物のそれぞれを構成する、指を含む各パーツの外形データを基本データとして記憶する基本データ記憶手段と、
前記袋物の各パーツに関連する属性データとして、指の長さを延長または短縮するときに移動変形する外形線および単純に移動する穴を示す指属性データと、複数の穴の配置ルールを示す穴属性データとを記憶する属性データ記憶手段とを含み、
前記別注支援プログラムは、
前記プロセッサが、前記入力部が受け付けた前記入力情報に基づいて、前記記憶手段からいずれかの袋物の各パーツの外形データを読み出すステップと、
前記プロセッサが、前記入力情報が前記袋物の指の長さの延長または短縮の指令を含む場合に、当該パーツに関連する前記属性データ記憶手段に記憶されている各属性データをリンクさせて変更する変更ステップとを備え、
前記変更ステップは、
前記指令に応じて指の長さが延長または短縮された場合に、前記指属性データの外形線および穴の位置を前記延長または短縮に合わせて変更するステップと、
前記穴属性データが示す配置ルールが穴属性として付与された穴の位置を変更するステップとを含み、
前記プロセッサが、読み出された外形データと変更された属性データとに基づいて当該袋物の型紙を作成するためのマスターデータを生成するステップをさらに備える、手を収納するための袋物の別注支援プログラム。
【請求項１０】
顧客による入力情報を受け付けるための入力部と、演算処理を行なうプロセッサと、記憶部とを備えたコンピュータに実行させる、顧客の要求に応じた手を収納するための手袋形状の袋物の注文を支援してマスターデータを作成する別注支援プログラムであって、
前記記憶部は、
それぞれの外形が異なる複数種類の袋物のそれぞれを構成する、指を含む各パーツの外形データを基本データとして記憶する基本データ記憶手段と、
前記袋物の各パーツに関連する属性データを記憶する属性データ記憶手段とを含み、
前記別注支援プログラムは、
前記プロセッサが、前記入力部が受け付けた前記入力情報に基づいて、前記記憶手段からいずれかの袋物の各パーツの外形データを読み出すステップと、
前記プロセッサが、前記入力情報が前記袋物の指の長さの延長または短縮の指令を含む場合に、当該パーツに関連する前記属性データ記憶手段に記憶されている属性データをリンクさせて変更する変更ステップとを備え、
前記変更ステップは、オペレータより、各指について指の両脇に位置する２本の角度線が指定されたことに応じて、指の延びる方向を示す線を演算するステップを含み、
前記プロセッサが、読み出された外形データと変更された属性データとに基づいて当該袋物の型紙を作成するためのマスターデータを生成するステップをさらに備える、手を収納するための袋物の別注支援プログラム。
【発明の詳細な説明】
【０００１】
【発明の属する技術分野】
この発明は、手を収納するための袋物の別注支援方法，装置およびプログラムに関し、たとえば、野球用グラブやボクシング用グラブ（以下、グラブと称する）やゴルフ用手袋などのように人体の一部を収納する袋物あるいはスポーツバッグのように物品を収納するの袋物を好みに応じて別注（オーダメード）するときに、袋物を作成するための型紙のマスタデータを自動的に作成できるような手を収納するための袋物の別注支援方法，装置およびプログラムに関する。
【０００２】
【従来の技術】
以下に説明する人体の一部および物品を収納するための袋物とは、野球用グラブやボクシング用グラブや野球用手袋やスキー用手袋やゴールキーパー用手袋やゴルフ用手袋やスキー帽やソックスなどのように人体の一部としての手や頭や足を収納するものであり、スポーツバッグやリックサックなどのように物品を収納する袋状のものの総称をいう。
【０００３】
一方、運動付属具としての代表的な野球用グラブには、投手用，内野手用，外野手用など種々のものが販売されているが、「基本モデル」として６５タイプあり、それ以外に、図２０に示すように、親指と人差し指との間に設けられる網状部材であるタータン，クロスＩ，ディープＩＩ等の「ウエブスタイル」で１３タイプを選択したり、グラブの端部に芯を設けた後、紐で縫う縫い目である「芯スタイル」としてタテトジ，ヨコトジ，ヨコトジダブルの３種類を選択できる。また、「バックスタイル」としてもノーマルスタイルや王冠スタイルなどの３種類も選択できる。その結果、野球用グラブとして６５×１３×３×３の７６９５種類の中から好みのものを選択することができる。
【０００４】
このようなオーダメードの野球用グラブが発注されると、各グラブを作成するために、図２１に示すような面２１，裏２２，ウェブ２３，指２４など２０数点のパーツを必要とする。これらのパーツはＣＡＤデータに基づいて裁断される。
【０００５】
【発明が解決しようとする課題】
野球用グラブの注文を受けたとき、注文が届いて直ちに各パーツを裁断するためには、６５×１３×３×３の７６９５種類のＣＡＤデータを登録しておき、しかも図２０に示すように各パーツのすべてのＣＡＤデータを登録しておく必要がある。しかしながら、「基本モデル」の１タイプだけでも１１７種類のデータを用意する必要があり、膨大なメモリ容量を必要とする。
【０００６】
このため、従来は最初に選手が使用している基本タイプのグラブだけを作成しておき、違うタイプのグラブの注文があるごとに必要なパーツのＣＡＤデータを作成して裁断している。その後、そのＣＡＤデータを登録している。これでは、注文が届いてから裁断するまでに長時間要し、また、パーツのＣＡＤデータを登録しておいても、注文に応じてパーツのＣＡＤデータを組み合わせるのは担当者の熟練を必要とする。
【０００７】
これらの問題は、野球用グラブに限らず、ボクシング用グラブやゴルフ用手袋やスポーツバッグなどのように袋状になっていて、別注による袋物においても発生する問題である。
【０００８】
それゆえに、この発明の主たる目的は、必要最小限のパーツのデータを登録しておき、外形の一部が異なる注文を受けたときに、異なるパーツの変更に応じて自動的に対応できる手を収納するための袋物の別注支援方法，装置およびプログラムを提供することである。
【０００９】
この発明の他の目的は、外形データと属性データとをリンクさせて、外形の大きさのみが異なる運動用付属具の注文を受けたときに、外形データを変更するだけで属性データを外形の大きさの変更に応じて自動的に対応できるような手を収納するための袋物の別注支援方法，装置およびプログラムを提供することである。
【００１０】
【課題を解決するための手段】
この発明のある局面に従う手を収納するための袋物の別注支援方法は、顧客による入力情報を受け付けるための入力部と、演算処理を行なうプロセッサと、記憶部とを備えた装置において、顧客の要求に応じた手を収納するための手袋形状の袋物の注文を支援してマスターデータを作成する別注支援方法であって、記憶部は、それぞれの外形が異なる複数種類の袋物のそれぞれを構成する、指を含む各パーツの外形データを基本データとして記憶する基本データ記憶手段と、袋物の各パーツに関連する属性データとして、指の長さを延長または短縮するときに移動変形する外形線および単純に移動する穴を示す指属性データと、複数の穴の配置ルールを示す穴属性データとを記憶する属性データ記憶手段とを含み、プロセッサが、入力部が受け付けた入力情報に基づいて、記憶手段からいずれかの袋物の各パーツの外形データを読み出すステップと、プロセッサが、入力情報が袋物の指の長さの延長または短縮の指令を含む場合に、当該パーツに関連する属性データ記憶手段に記憶されている各属性データをリンクさせて変更する変更ステップとを備え、変更ステップは、指令に応じて指の長さが延長または短縮された場合に、指属性データの外形線および穴の位置を延長または短縮に合わせて変更するステップと、穴属性データが示す配置ルールが穴属性として付与された穴の位置を変更するステップとを含み、プロセッサが、読み出された外形データと変更された属性データとに基づいて当該袋物の型紙を作成するためのマスターデータを生成するステップをさらに備える。
この発明の他の局面に従う手を収納するための袋物の別注支援方法は、顧客による入力情報を受け付けるための入力部と、演算処理を行なうプロセッサと、記憶部とを備えた装置において、顧客の要求に応じた手を収納するための手袋形状の袋物の注文を支援してマスターデータを作成する別注支援方法であって、記憶部は、それぞれの外形が異なる複数種類の袋物のそれぞれを構成する、指を含む各パーツの外形データを基本データとして記憶する基本データ記憶手段と、袋物の各パーツに関連する属性データを記憶する属性データ記憶手段とを含み、プロセッサが、入力部が受け付けた入力情報に基づいて、記憶手段からいずれかの袋物の各パーツの外形データを読み出すステップと、プロセッサが、入力情報が袋物の指の長さの延長または短縮の指令を含む場合に、当該パーツに関連する属性データ記憶手段に記憶されている属性データをリンクさせて変更する変更ステップとを備え、変更ステップは、オペレータより、各指について指の両脇に位置する２本の角度線が指定されたことに応じて、指の延びる方向を示す線を演算するステップを含み、プロセッサが、読み出された外形データと変更された属性データとに基づいて当該袋物の型紙を作成するためのマスターデータを生成するステップをさらに備える。
【００１１】
好ましくは、変更ステップは、指の延びる方向を示す線に基づいて、属性データを変更するステップを含む。
【００１３】
また、袋物は、野球用グラブであり、属性データ記憶手段は、延長または短縮に伴うウェブの変倍を行なうために必要とされるウェブ属性を記憶していて、変更ステップは、変倍率がウェブ属性として付与されたウェブの大きさを延長または短縮に合わせて変更するステップをさらに含む。
【００１４】
さらに、変更ステップは、オペレータより各指について指の両脇に位置する２本の角度線が指定されたことに応じて、指の延びる方向を示す線を演算するステップをさらに含み、各属性データは、指の延びる方向を示す線に基づいて変更されるすることを特徴とする。なお、この時、指の延びる方向を示す線は直線でも曲線でも可能である。
【００１５】
さらに、入力部が、入力情報として、外形データの指定および延長または短縮の指令をデータ通信回線を介して受け付けるステップをさらに備える。
【００１６】
さらに他の発明は、顧客の要求に応じた手を収納するための手袋形状の袋物の注文を支援してマスターデータを作成する別注支援装置であって、それぞれの外形が異なる複数種類の袋物のそれぞれを構成する、指を含む各パーツの外形データを基本データとして記憶する基本データ記憶手段と、袋物の各パーツに関連する属性データとして、指の長さを延長または短縮するときに移動変形する外形線および単純に移動する穴を示す指属性データと、複数の穴の配置ルールを示す穴属性データとを記憶する属性データ記憶手段と、顧客による入力情報を受け付けるための入力手段と、入力手段が受け付けた入力情報に基づいて、属性データ記憶手段に記憶されている属性データをリンクさせて変更し、外形データと変更した属性データとに基づいてマスターデータを生成する制御手段とを備え、制御手段は、入力情報に基づいて、記憶手段からいずれかの袋物の各パーツの外形データを読み出す手段と、入力情報が袋物の指の長さの延長または短縮の指令を含み、かつ、指令に応じて指の長さが延長または短縮された場合に、指属性データの外形線および穴の位置を延長または短縮に合わせて変更する手段と、穴属性データが示す配置ルールが穴属性として付与された穴の位置を変更する手段とを含む。
さらに他の発明は、顧客の要求に応じた手を収納するための手袋形状の袋物の注文を支援してマスターデータを作成する別注支援装置であって、それぞれの外形が異なる複数種類の袋物のそれぞれを構成する、指を含む各パーツの外形データを基本データとして記憶する基本データ記憶手段と、袋物の各パーツに関連する属性データを記憶する属性データ記憶手段と、顧客による入力情報を受け付けるための入力手段と、入力手段が受け付けた入力情報に基づいて、属性データ記憶手段に記憶されている属性データをリンクさせて変更し、外形データと変更した属性データとに基づいてマスターデータを生成する制御手段とを備え、制御手段は、入力情報に基づいて、記憶手段からいずれかの袋物の各パーツの外形データを読み出す手段と、入力情報が袋物の指の長さの延長または短縮の指令を含む場合に、オペレータより、各指について指の両脇に位置する２本の角度線が指定されたことに応じて、指の延びる方向を示す線を演算する手段とを含む。
【００１７】
さらに、他の発明は、顧客による入力情報を受け付けるための入力部と、演算処理を行なうプロセッサと、記憶部とを備えたコンピュータに実行させる、顧客の要求に応じた手を収納するための手袋形状の袋物の注文を支援してマスターデータを作成する別注支援プログラムであって、記憶部は、それぞれの外形が異なる複数種類の袋物のそれぞれを構成する、指を含む各パーツの外形データを基本データとして記憶する基本データ記憶手段と、袋物の各パーツに関連する属性データとして、指の長さを延長または短縮するときに移動変形する外形線および単純に移動する穴を示す指属性データと、複数の穴の配置ルールを示す穴属性データとを記憶する属性データ記憶手段とを含み、別注支援プログラムは、プロセッサが、入力部が受け付けた入力情報に基づいて、記憶手段からいずれかの袋物の各パーツの外形データを読み出すステップと、プロセッサが、入力情報が袋物の指の長さの延長または短縮の指令を含む場合に、当該パーツに関連する属性データ記憶手段に記憶されている各属性データをリンクさせて変更する変更ステップとを備え、変更ステップは、指令に応じて指の長さが延長または短縮された場合に、指属性データの外形線および穴の位置を延長または短縮に合わせて変更するステップと、穴属性データが示す配置ルールが穴属性として付与された穴の位置を変更するステップとを含み、プロセッサが、読み出された外形データと変更された属性データとに基づいて当該袋物の型紙を作成するためのマスターデータを生成するステップをさらに備える。
さらに他の発明は、顧客による入力情報を受け付けるための入力部と、演算処理を行なうプロセッサと、記憶部とを備えたコンピュータに実行させる、顧客の要求に応じた手を収納するための手袋形状の袋物の注文を支援してマスターデータを作成する別注支援プログラムであって、記憶部は、それぞれの外形が異なる複数種類の袋物のそれぞれを構成する、指を含む各パーツの外形データを基本データとして記憶する基本データ記憶手段と、袋物の各パーツに関連する属性データを記憶する属性データ記憶手段とを含み、別注支援プログラムは、プロセッサが、入力部が受け付けた入力情報に基づいて、記憶手段からいずれかの袋物の各パーツの外形データを読み出すステップと、プロセッサが、入力情報が袋物の指の長さの延長または短縮の指令を含む場合に、当該パーツに関連する属性データ記憶手段に記憶されている属性データをリンクさせて変更する変更ステップとを備え、変更ステップは、オペレータより、各指について指の両脇に位置する２本の角度線が指定されたことに応じて、指の延びる方向を示す線を演算するステップを含み、プロセッサが、読み出された外形データと変更された属性データとに基づいて当該袋物の型紙を作成するためのマスターデータを生成するステップをさらに備える。
【００１８】
【発明の実施の形態】
この発明は、従来のように営業担当者が顧客から野球用グラブの注文を受ける場合のみならず、小売店が顧客から注文を受け、インターネットを介して用具メーカに直接注文できるシステムにも適用される。また、このシステムは、野球用グラブのみならず、ボクシング用グラブやゴルフ用手袋やスポーツバッグなどの袋物であれば、どのような物にも適用できる。
【００１９】
図１はこの発明が適用されるネットワーク装置を示すブロック図である。図１において、サーバ１は経路制御装置２および電話回線３を介してインターネットＮＥＴに接続されている。インターネットＮＥＴには複数の端末装置１１，１２，１３，１４が接続されている。各端末装置１１〜１４は、いずれもたとえばパーソナルコンピュータで構成されており、ＣＲＴやＬＣＤなどの表示部とともにキーボードやマウスなどの入力部を有している。端末装置としては、パーソナルコンピュータに限ることなく、その他の携帯電話機や携帯情報端末やＰＨＳや無線機等を用いてもよい。
【００２０】
図２は図１に示したサーバのブロック図である。サーバ１は制御部１００と入力部１０１と出力部１０２とメインプログラム１０３とメモリファイル１０４とマスタファイル１０５とを含む。マスタファイル１０５には、基本モデルの各パーツごとの外形データが予め登録されているとともに、対応する属性データも記憶されている。
【００２１】
入力部１０１はインターネットＮＥＴから電話回線３や携帯電話機などおよび経路制御装置２を介して入力されたグラブの入力情報を制御部１００に与える。制御部１００はメインプログラム１０３に基づいて、後述の図に基づく処理を実行し、出力部１０２を介してインターネットＮＥＴに出力情報を送出したり、マスタファイル１０５を更新する。メモリファイル１０４は入力部から入力された各種データを記憶する。
【００２２】
図３は図２０に示したグラブのパーツのうち受球面となる面２１の外形データを示す図である。図３は左手の面を示しており、親指、人差し指，中指，薬指，小指の外形線２１１，２１２，２１３，２１４，２１５を含む。この外形データに対応して属性データが設けられる。属性データは、指属性とウェブ属性と穴属性とからなる。
【００２３】
指属性は、指の長さを延長あるいは短縮するときに移動変形する外形線および単純に移動する穴を示すデータであり、外形線と穴と法線で構成される。ウェブ属性は、延長短縮に伴うウェブの偏倍を行なうために必要とされるデータであって１〜３まであり、外形線と穴で構成される。穴属性は、延長または短縮するときに配置ルールを適用する穴のデータであって１〜１０まである。したがって、属性データとしては指属性，ウェブ属性１〜３，穴属性１〜１０の１４属性設けられる。
【００２４】
図４は芯スタイルを示し、図５は各種ウェブを示し、図６は各種バックモデルを示す図である。
【００２５】
グラブの芯スタイルには図４（ａ）に示すヨコトジと、図４（ｂ）に示すヨコトジダブルと、図４（ｃ）に示すタテトジとがあり、ウェブには図５（ａ）に示すタータンＩと、図５（ｂ）に示すクロスＩと、図５（ｃ）に示すディープＩＩなどがある。このうち、タータンＩは縦横編み合わされた１つのパーツからなり、クロスＩは３つのパーツからなり、ディープＩＩは２つのパーツからなっている。いずれのウェブを選択するかによって紐が通る穴が異なる。さらに、バックモデルには図６（ａ）に示すノーマルスタイルと、図６（ｂ）に示す王冠スタイルとがある。これらはいずれも顧客の要求に応じて選択される。
【００２６】
図７はこの発明の一実施形態の動作を示すフローチャートであり、図８は組合せファイルに含まれるデータの一例を示す図である。
【００２７】
制御部１００はインターネットＮＥＴを介して入力部１０１から顧客の要求するグラブに関するデータが入力されると、メインプログラムに応じて図７に示すフローチャートに基づく動作を実行する。顧客は基本モデルの品番を入力し、図５に示したウェブスタイルのいずれかを示す番号と、図４に示した芯スタイルのいずれかを示す番号と、図６に示したバックスタイルのいずれかを示す番号を入力する。また、顧客はサイズを変更するときは変更すべきデータを入力する。
【００２８】
なお、データ入力方法は、直接項目を記入したり、番号を入力したり、選択できる項目を選択することも可能である。
【００２９】
制御部１００は入力された基本モデルの品番とウエブスタイルと芯スタイルとバックスタイルおよびサイズ変更の有無に対応して組合せファイルを作成する。この組合せファイルには、図８に示すように工場受付Noから、基本モデル名，芯スタイル，ウェブ，バックスタイル，左・右の区別，サイズ変更，各パーツに関するデータなどが含まれている。制御部１００は、この組合せファイルに基づいてマスタファイル１０５から対応するパーツのＣＡＤマスタデータを読み出す。サイズ変更でなければそのＣＡＤマスタデータを裁断用ＣＡＭデータとする。
【００３０】
サイズ変更が必要であれば、ＣＡＤマスタデータに対して指を属性付け、ウェブを属性付け、穴を属性付けて裁断用ＣＡＭデータを作成する。
【００３１】
図９は図７に示した元データに指を属性付ける具体的な動作を説明するためのフローチャートであり、図１０は指を図７に示した元データに指を属性付ける具体的な動作を説明するためのフローチャートである。
【００３２】
図７に示したサイズ変更で指に属性付けする際には、専門のオペレータが画面上に表示された「指属性」をクリックして指属性コマンドを選択することにより、図９に示すフローチャートの処理が実行される。指属性コマンドを選択すると、図１０（ａ）に示すように、たとえば手の面の外形線を示す元データが表示される。この元データの人差し指の親指側をクリックして角度線１を入力し、続いて人差し指の中指側をクリックして図１０（ｂ）に示す角度線２を入力する。制御部１００は入力された角度線１および２に基づいて図１０（ｃ）に示す法線を計算して表示する。この法線の向きにより人差し指の伸ばす方向を判別できる。
【００３３】
さらに、制御部１００は、図１０（ｄ）に示すように人差し指の延長または短縮する部分の要素をたとえば点線で表示する。オペレータは点線で表示された指の部分のうち、延長または短縮したい部分として、指の根元部分あるいは指先部分などを指定する。さらに、入力結果を確認した後、実行キーを入力する。制御部１００はすべての指に対して属性付けを終えたか否かを判別し、終えていなければたとえば中指を属性付けるために、中指への角度線１および２の入力を促す。この動作を繰り返し、すべての指の属性付けを完了すると図７のフローチャートにリターンする。
【００３４】
図１１は図７に示した元データに穴を属性付ける具体的な動作を説明するためのフローチャートであり、図１２および図１３は穴を属性付けるために表示されるダイアログ表示を示す図であり、図１４は法線入力画面を示し、図１５および図１６は穴の選択画面を示し、図１７はウエブの外形図を示す。
【００３５】
図７の穴属性付けは、図示しないが画面上に表示された「穴属性」をオペレータがクリックして穴属性コマンドを選択することにより、図１１に示すフローチャートの処理が実行される。制御部１００は穴属性コマンドが選択されると、ダイアログを出力部１０２のディスプレイに表示する。このダイアログ表示は、図１２に示す均等移動と図１３に示す場合分けとがあり、オペレータが選んだ表示に対して数値条件の入力を許容する。
【００３６】
均等移動はたとえば指の間に均等の間隔で並んでいる６つの穴がある場合に、指を１５ｍｍ延長した後もその間にある６つの穴を均等間隔に並ぶように移動することであり、図１２に示す画面上で「均等移動」をクリックした後、「ＯＫ」をクリックする。
【００３７】
また、場合分け移動は、指をたとえば５ｍｍ，１０ｍｍ，１５ｍｍ，２０ｍｍ，２５ｍｍ延長するときに、穴を指の延長距離と異なる数値だけ延長するように設定するモードであり、図１３に示す画面上で「場合分け移動」をクリックし、これらの数値を設定後に「ＯＫ］をクリックする。
【００３８】
このようにして設定された均等移動および場合分け移動のデータはマスタファイル１０５に登録される。
【００３９】
なお、ウェブは図５に示す各種類に応じて穴の位置も異なるため、選択されたウェブに応じて、指を延長する場合の設定数値も異なる。
【００４０】
制御部１００は条件が入力された後に図１４に示すような法線を入力するための画面を表示する。オペレータはその表示を見て法線を入力する。制御部１００は法線が入力されると、図１５および図１６に示すように穴を選択するための画面を表示する。図１５は芯材用の穴の位置決めのルールを示しており、図１６はウェブを取りつけるための穴の位置決めのルールを示している。図１５および図１６に示す穴の位置決めは選択する芯スタイルおよびウェブに対応しており、制御部１００は、これらの穴の位置決めデータをマスタファイル１０５から読み出して表示する。
【００４１】
また、図１６に示すウェブを取りつけるための穴も選択するウェブに対応しており、図１６に示した穴の位置決めは、たとえば図１７に示すタータンＩのウェブに対応している。図１７（ｂ）の帯状の部材が図１７（ａ）の切り込みに表側と裏側とが現われるように嵌めこまれる。オペレ−タは図１５および図１６の表示を見て穴を選択する。選択後に穴を確認した後、エンターキーを操作すると、穴の属性付けが実行される。
【００４２】
図１８は図７に示した元データにウェブを属性付ける具体的な動作を説明するためのフローチャートであり、図１９はウェブを属性付けるために表示されるダイアログ表示を示す図である。
【００４３】
図７のウェブの属性付けは、図示しないが画面上に表示された「ウェブ属性」をオペレータがクリックしてウェブ穴属性コマンドを選択することにより、図１８に示すフローチャートの処理が実行される。制御部１００はウェブ属性コマンドが選択されると、図１９に示す条件入力ダイアログを出力部１０２のディスプレイに表示する。このウェブ属性は指を５ｍｍ，１０ｍｍ，１５ｍｍ，２０ｍｍ，２５ｍｍ伸ばすかあるいは縮めるかによって、ウエブの縦，横の倍率を設定するものである。
【００４４】
図１９に示した画面上で、「縦」をクリックし、指を伸ばすときに、ウエブの大きさをそれぞれの指の延長距離、たとえば５ｍｍ，１０ｍｍ，１５ｍｍ，２０ｍｍ，２５ｍｍに応じて、「縦」方向に大きくする倍率を１．００倍から１．２倍に設定した後、「ＯＫ］をクリックする。
【００４５】
また、同じように指を縮めるときにウエブの大きさをそれぞれ指の延長距離に応じて、「縦」方向に小さくする倍率を０．８倍から１．００倍に設定した後、「ＯＫ］をクリックする。横方向の倍率も「横」をクリックすることにより設定できる。オペレータは倍率の設定を終えると、「ＯＫ」をクリックする。制御部１００は倍率の設定を終えると、前述の図１７に示すウェブの図形を表示する。図１７はウェブとして図５（ａ）に示したタータンＩを表示しているが、その他に図５（ｂ），（ｃ）に示したクロスＩやディープＩＩなども選択できる。オペレータは選択したウェブ図形を確認した後、エンターキーを操作するとウェブ属性付けが実行される。
【００４６】
上述のごとく、この実施形態によれば、グラブの外形データを基本データとしてマスタファイルに記憶するとともに、基本データの各パーツを延長または短縮したとき、指とウェブと穴を属性付け、マスタデータとして保存するようにしたので、外形の大きさの異なるグラブの注文を受けたとき、外形を延長または短縮すればそれに伴って指や穴やウェブの属性を自動的に変更することができる。
【００４７】
なお、上述の説明では、この発明を野球用グラブを作成するための裁断用ＣＡＭデータを作成するために適用したが、これに限らずボクシング用グラブや野球用手袋やゴルフ用手袋やスキー用手袋やスキー帽やソックスやバッグ類やリックサックなどの袋状の袋物を製造するためのデータ作成にも適用することができる。たとえば、手袋であれば掌側や指の挿入部分を膨らませるためのマチ部分を共通にしておき、顧客の要求に応じて手の甲側のデザインを変更するような場合にも適用できる。さらに、バッグ類であれば、バッグの背面側を共通にしておき、顧客の要求に応じて、バッグの表側にネームを入れたり、ポケットをつけるような場合にも適用できる。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４９】
【発明の効果】
以上のように、この発明によれば、それぞれの外形が異なる複数種類の袋物のそれぞれを構成する各パーツの外形データを基本データとして記憶しておくとともに、外形データの各パーツに関連する属性データを記憶しておき、いずれかの袋物の各パーツの外形データを指定して読出し、当該パーツの変更を指定したことに応じて、当該パーツに関連して記憶されている属性データをリンクさせて変更し、外形データと変更した属性データとに基づいてマスターデータを生成することにより、外形の大きさのみが異なる袋物の注文を受けたときに、外形データを変更するだけで属性データを外形の大きさの変更に応じて自動的に対応できる。
【図面の簡単な説明】
【図１】  この発明の一実施形態が適用されるネットワーク装置を示すブロック図である。
【図２】  図１に示したサーバのブロック図である。
【図３】  グラブのパーツのうち面の外形データを示す図である。
【図４】  芯スタイルを示す図である。
【図５】  各種ウェブを示す図である。
【図６】  各種バックモデルを示す図である。
【図７】  この発明の一実施形態の動作を示すフローチャートである。
【図８】  組合せファイルに含まれるデータの一例を示す図である。
【図９】  図７に示した元データに指を属性付ける具体的な動作を説明するためのフローチャートである。
【図１０】  指を属性付ける動作を説明するための図である。
【図１１】  図７に示した元データに穴を属性付ける具体的な動作を説明するためのフローチャートである。
【図１２】  穴属性を設定するために表示されるダイアログを説明するための図である。
【図１３】  穴属性を設定するために表示されるダイアログを説明するための図である。
【図１４】  穴属性を設定する動作を説明するためのグラブの外形図である。
【図１５】  芯スタイルを取りつけるための穴の位置を示す図である。
【図１６】  ウェブの取りつけ穴の位置を示す図である。
【図１７】  ウェブの一例を示す展開図である。
【図１８】  ウェブ属性を設定するためのフローチャートである。
【図１９】  ウェブ属性を設定する動作を説明するための図である。
【図２０】  この発明が適用される野球用グラブの外観図である。
【図２１】  図２０に示す野球用グラブを構成するパーツの展開図である。
【符号の説明】
１  サーバ、２  経路制御装置、３  電話回線、１１，１２，１３，１４  端末装置、１００  制御部、１０１  入力部、１０２  出力部、１０３  メインプログラム、１０４  メモリファイル、１０５  マスタファイル。
【図１】
0004162861.tif 000002
【図２】
0004162861.tif 000003
【図３】
0004162861.tif 000004
【図４】
0004162861.tif 000005
【図５】
0004162861.tif 000006
【図６】
0004162861.tif 000007
【図７】
0004162861.tif 000008
【図８】
0004162861.tif 000009
【図９】
0004162861.tif 000010
【図１０】
0004162861.tif 000011
【図１１】
0004162861.tif 000012
【図１２】
0004162861.tif 000013
【図１３】
0004162861.tif 000014
【図１４】
0004162861.tif 000015
【図１５】
0004162861.tif 000016
【図１６】
0004162861.tif 000017
【図１７】
0004162861.tif 000018
【図１８】
0004162861.tif 000019
【図１９】
0004162861.tif 000020
【図２０】
0004162861.tif 000021
【図２１】
0004162861.tif 000022